(57)【特許請求の範囲】
【請求項１】
建物ユニットの上面の周囲に防水カバーを被覆するに際し、
建物ユニットの上面にカバー持上具を載置し、カバー持上具が有している引張部材を引張操作することにより該カバー持上具を平伏状態から立上状態に変化させ、立上状態のカバー持上具により防水カバーを持上げ可能とする建物ユニットの養生装置であって、
前記カバー持上具が、建物ユニットの上面に対し弾性的に弓なり変形できる変形部を備えた持上部材と、持上部材の変形部における建物ユニットの巾方向の一方側に位置する一端部を建物ユニットの周囲でその巾方向の他方側に連結する連結部材と、持上部材の変形部における建物ユニットの巾方向の他方側に位置する他端部を建物ユニットの巾方向の一方側に引張り、該持上部材の変形部を弓なり変形させるとともに、建物ユニットの周囲でその巾方向の一方側に接続する引張部材とを有して構成され、
前記持上部材が、建物ユニットの上面に載置される基板ボードと、基板ボードの一端部に連結されて該基板ボードに折り重ね配置される変形ボードとを有し、該変形ボードは前記変形部を構成し、基板ボードの他端部に前記連結部材を連結し、変形ボードの自由端部に前記引張部材を連結してなる建物ユニットの養生装置。
【請求項２】
前記基板ボードが薄板プラスチックボードからなり、前記変形ボードが薄板プラスチックボードの長手方向に沿って帯状弾性体を備えたものからなり、変形ボードの自由端部に連結した引張部材を通す挿通部を基板ボードの一端部の側に設けてなる請求項１記載の建物ユニットの養生装置。
【発明の詳細な説明】
【０００１】
【発明の属する技術分野】
本発明は建物ユニットの養生装置に関する。
【０００２】
【従来の技術】
従来、建物ユニットの保管時や運搬時に、建物ユニットの上面の周囲に防水カバーを被覆するに際し、合板を天井に敷き防水カバーを被せるもの全体を軽量にするために合板を用いず、かつ防水カバーの上に雨水が溜まらないようにするため、特開昭61-257574号公報に記載の如く、防水カバーに空気袋を設け、この空気袋を圧縮空気により膨らませることによって防水カバーの天井面に排水勾配を設けるもの、実公昭56-39085号公報に記載の如く、建物ユニットの相対する天井梁の間に弾性支骨片を弓なり変形させた突っ張り状態で架け渡し、この弾性支骨片の上に防水カバーを被せることによって防水カバーの天井面に排水勾配を設けるものがある。
【０００３】
【発明が解決しようとする課題】
従来技術には以下の問題点がある。
▲１▼合板を天井から下ろすには時間が掛かり、建物ユニットの上（トラックの荷台の上）で、危険な作業を伴うことがあった。
【０００４】
▲２▼防水カバーに空気袋を設けたものでは、防水カバーが複雑で大重量になること、空気袋を膨らます空圧装置が必要がなること、空気袋を膨らませたり、その空気を抜くのに長時間を必要とすること等の不都合がある。
【０００５】
▲３▼弾性支骨片を用いるものでは、弾性支骨片を弓なり変形させて天井梁に係止したり、この係止を外す作業の全てを、建物ユニットの上面の上で行なう必要があり、作業性が悪い。
【０００６】
本発明の課題は、建物ユニットに被せた防水カバーの天井面に排水勾配を形成するに際し、構成簡素にし、作業性も向上することにある。
【０００７】
【課題を解決するための手段】
請求項１の発明に係る建物ユニットの養生装置は、建物ユニットの上面の周囲に防水カバーを被覆するに際し、建物ユニットの上面にカバー持上具を載置し、カバー持上具が有している引張部材を引張操作することにより該カバー持上具を平伏状態から立上状態に変化させ、立上状態のカバー持上具により防水カバーを持上げ可能とする建物ユニットの養生装置であって、前記カバー持上具が、建物ユニットの上面に対し弾性的に弓なり変形できる変形部を備えた持上部材と、持上部材の変形部における建物ユニットの巾方向の一方側に位置する一端部を建物ユニットの周囲でその巾方向の他方側に連結する連結部材と、持上部材の変形部における建物ユニットの巾方向の他方側に位置する他端部を建物ユニットの巾方向の一方側に引張り、該持上部材の変形部を弓なり変形させるとともに、建物ユニットの周囲でその巾方向の一方側に接続する引張部材とを有して構成され、前記持上部材が、建物ユニットの上面に載置される基板ボードと、基板ボードの一端部に連結されて該基板ボードに折り重ね配置される変形ボードとを有し、該変形ボードは前記変形部を構成し、基板ボードの他端部に前記連結部材を連結し、変形ボードの自由端部に前記引張部材を連結してなるようにしたものである。
【０００８】
請求項２の発明は、請求項１の発明において更に、前記基板ボードが薄板プラスチックボードからなり、前記変形ボードが薄板プラスチックボードの長手方向に沿って帯状弾性体を備えたものからなり、変形ボードの自由端部に連結した引張部材を通す挿通部を基板ボードの一端部の側に設けてなるようにしたものである。
【００１１】
【作用】
請求項１の発明によれば下記(a)〜(d)の作用がある。
(a)防水カバーと別体のカバー持上具を用いるものであるし、カバー持上具が平伏状態から立上状態に変化するだけのものであり、構成簡素、軽量化できる。
【００１２】
(b)カバー持上具は、引張部材を引張操作することにより平伏状態から立上状態に変化せしめられるものであり、その取付け、取外しの作業時間は短時間で足りるし、その取付け、取外しの作業は建物ユニットの下から行なうことができ、作業性も良い。
【００１３】
(c)カバー持上具が持上部材の変形部を弓なり変形させることにて構成されるものであり、構成極めて簡素である。
【００１４】
(d)持上部材が基板ボードと変形ボードを折り重ね状にして構成されるものであり、建物ユニットの上面に基板ボードを安定的に載置して変形ボードを弓なり変形できる。また、変形ボードによる持上巾を広巾とし、少数のカバー持上具の使用により防水カバーを安定的に持上げできる。
【００１５】
請求項２の発明によれば下記(e)〜(g)の作用がある。
(e)持上部材の基板ボードと変形ボードを薄板プラスチックボードにて構成したから、持上部材を軽量コンパクトにでき、取外し後の持ち帰り性、保管性が良い。
【００１６】
(f)変形ボードに帯状弾性体を添設したから、変形ボードの弾性強度、腰の強さを増し、弓なり変形性を簡易に向上できる。
【００１７】
(g)基板ボードに引張部材の挿通部を設けたから、引張部材の引張操作性を向上できる。
【００１８】
【発明の実施の形態】
図１は養生装置の使用状態を示し、（Ａ）は正面断面図、（Ｂ）は（Ａ）のＢ−Ｂ線に沿う断面図、図２は変形ボードを示し、（Ａ）は斜視図、（Ｂ）は（Ａ）のＢ−Ｂ線に沿う断面図、図３は基板ボードを示し、（Ａ）は斜視図、（Ｂ）は（Ａ）のＢ−Ｂ線に沿う断面図、図４は連結ベルトと引張ベルトを示す斜視図、図５はカバー持上具の取付状態を示し、（Ａ）は引張前状態を示す斜視図、（Ｂ）は引張後状態を示す斜視図、図６は変形ボードの変形状態を示し、（Ａ）は小変形状態を示す正面図、（Ｂ）は大変形状態を示す正面図である。
【００１９】
図１は、建物ユニット１（柱２、床梁３、天井梁４の骨組構造体）の保管場での保管時、又はトラックの荷台上での運搬時に、建物ユニット１の上面の周囲に防水カバー１０１を被覆するに際し、養生装置１０を用いた例である。尚、図１では、建物ユニット１の全体を覆う防水カバー１０１の内側にミニ防水カバー１０２を介在させた。
【００２０】
養生装置１０は、建物ユニット１の上面（天井根太５やその上の足場板）の長手方向の単一位置又は複数位置（図１では２位置）に、カバー持上具１１を載置し、カバー持上具１１が有している後述の引張ベルト２４を地上から引張操作することにより、カバー持上具１１の後述する持上部材２０の変形ボード２２を平伏状態からＵ字立上状に変化させ、立上状態の変形ボード２２により防水カバー１０１を持上げ可能とする。これにより、防水カバー１０１の天井面に排水勾配を付与し、防水カバー１０１の上に雨水が溜まらないようにする。
【００２１】
カバー持上具１１は、持上部材２０（基板ボード２１、変形ボード２２）と、連結ベルト２３（連結部材）と、引張ベルト２４（引張部材）とを有して構成される。
【００２２】
持上部材２０は、建物ユニット１の上面に載置される基板ボード２１と、基板ボード２１の一端部２１Ａに連結されて該基板ボード２１に折り重ね配置される変形ボード２２とを有する。変形ボード２２は、建物ユニット１の上面に対し平伏状態から弾性的に弓なり変形して前述のＵ字立上状態に変化する変形部２０Ａを構成する。
【００２３】
連結ベルト２３は、基板ボード２１の他端部２１Ｂに取着されて連結される。これにより、連結ベルト２３は変形ボード２２における建物ユニット１の巾方向の一方側に位置する一端部２２Ａを、基板ボード２１を介することにて、建物ユニット１の周囲で巾方向の他方側に位置する天井梁４Ｂ（他方側に位置する床梁３Ｂでも可）にボルト等の取付部２３Ａを用いて連結される（図４）。
【００２４】
引張ベルト２４は、変形ボード２２の自由端部２２Ｂ（他端部）に連結される。これにより、引張ベルト２４は、変形ボード２２の他端部２２Ｂを建物ユニット１の巾方向の一方側に引張り、変形ボード２２を弾性的に弓なり変形させるとともに、建物ユニット１の周方向でその巾方向の一方側に位置する床梁３Ａにフック等の取付部２４Ａを用いて緊張状態にて接続される（図４）。
【００２５】
尚、基板ボード２１は、図３に示す如く、薄板プラスチックボード（例えば２mm厚みのポリエチレンボード）３１を袋状プラスチックシート（例えばポリエチレンシート）３２により被覆したものからなる。このとき、基板ボード２１は、プラスチックシート３２の長手方向の中央部から一端部側に渡る外面の巾方向中央部に狭巾のプラスチックシート３３の両側縁部を接着する等により固定し、変形ボード２２の他端部２２Ｂに連結した前述の引張ベルト２４を通すトンネル状挿通部３４を形成する。
【００２６】
また、変形ボード２２は、図２に示す如く、薄板プラスチックボード（例えば3mm厚みのポリエチレンボード）４１を袋状プラスチックシート（例えばポリエチレンシート）４２により被覆したものからなる。このとき、変形ボード２２は、プラスチックボード４１の長手方向の全長に渡る表面の巾方向中央部に狭巾のプラスチックシート４３の両側縁部を接着等により固定し、これによって構成されるトンネル状挿通部４４にＦＲＰガラス繊維等の帯状弾性体４５を装填することにて該弾性体４５をプラスチックボード４１に一体化してある。
【００２７】
以下、養生装置１０の使用手順について説明する。
(1)建物ユニット１の上面にカバー持上具１１の持上部材２０（基板ボード２１、変形ボード２２）を載置する。建物ユニット１の短手方向に持上部材２０の長手方向を合致させ、建物ユニット１の長手方向に適宜個数の持上部材２０を載置する。
【００２８】
(2)持上部材２０の基板ボード２１の他端部２１Ｂに連結してある連結ベルト２３の取付部２３Ａを建物ユニット１の他方側の天井梁４Ｂに連結する（図５（Ａ））。
【００２９】
(3)持上部材２０の変形ボード２２の他端部２２Ｂに連結してある引張ベルト２４を建物ユニット１の一方側の側面に垂らし、該引張ベルト２４を引張操作することにより変形ボード２２を平伏状態から弓なり変形させて立上状態とするとともに、引張ベルト２４の取付部２４Ａを緊張状態にて建物ユニット１の一方側の床梁３Ａに連結する（図５（Ｂ））。
【００３０】
(4)持上部材２０の上にカバー１０２、１０１を順にかけ、建物ユニット１を被覆する。
【００３１】
尚、引張ベルト２４の引張操作によって形成される変形ボード２２の弓なり変形高さは、引張ベルト２４の長さをその長さ調節部２５により調整し、所望により、図６（Ａ）の小高さ、（Ｂ）の大高さに設定できる。
【００３２】
また、変形ボード２２の弓なり変形のトップを建物ユニット１の短手方向の略中央部に設定することが好ましく、建物ユニット１の短手寸法を例えば2500mm程度とするときには基板ボード２１、変形ボード２２の長手寸法を1550mm、基板ボード２１に設ける引張ベルト２４のための挿通部３４の長さを700mmとする。また、基板ボード２１、変形ボード２２の短手寸法は例えば470mmとし、建物ユニット１の長手寸法により適宜数のカバー持上具１１を用いる。
【００３３】
本実施形態によれば、以下の作用がある。
▲１▼防水カバー１０１と別体のカバー持上具１１を用いるものであるし、カバー持上具１１が平伏状態から立上状態に変化するだけのものであり、構成簡素、軽量化できる。
【００３４】
▲２▼カバー持上具１１は、引張ベルト２４を引張操作することにより平伏状態から立上状態に変化せしめられるものであり、その取付け、取外しの作業時間は短時間で足りるし、その取付け、取外しの作業は建物ユニットの下から行なうことができ、作業性も良い。
【００３５】
▲３▼カバー持上具１１が持上部材２０の変形部２０Ａを弓なり変形させることにて構成されるものであり、構成極めて簡素である。
【００３６】
▲４▼持上部材２０が基板ボード２１と変形ボード２２を折り重ね状にして構成されるものであり、建物ユニットの上面に基板ボード２１を安定的に載置して変形ボード２２を弓なり変形できる。また、変形ボード２２による持上巾を広巾とし、少数のカバー持上具１１の使用により防水カバー１０１を安定的に持上げできる。
【００３７】
▲５▼持上部材２０の基板ボード２１と変形ボード２２を薄板プラスチックボード３１、４１にて構成したから、持上部材２０を軽量コンパクトにでき、取外し後の持ち帰り性、保管性が良い。
【００３８】
▲６▼変形ボード２２に帯状弾性体４５を添設したから、変形ボード２２の弾性強度、腰の強さを増し、弓なり変形性を簡易に向上できる。
【００３９】
▲７▼基板ボード２１に引張ベルト２４の挿通部３４を設けたから、引張ベルト２４の引張操作性を向上できる。
【００４０】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、カバー持上具は、引張部材により平伏状態から立上状態に変化して防水カバーを持上げるものであれば、弓なり変形する変形部を備えるものに限らない。
【００４１】
また、カバー持上具の引張部材や連結部材は、建物ユニットに連結するものに限らず、建物ユニットを積載したトラックの荷台等に連結するものであっても良い。
【００４２】
【発明の効果】
以上のように本発明によれば、建物ユニットに被せた防水カバーの天井面に排水勾配を形成するに際し、構成簡素にし、作業性も向上することができる。
【図面の簡単な説明】
【図１】図１は養生装置の使用状態を示し、（Ａ）は正面断面図、（Ｂ）は（Ａ）のＢ−Ｂ線に沿う断面図である。
【図２】図２は変形ボードを示し、（Ａ）は斜視図、（Ｂ）は（Ａ）のＢ−Ｂ線に沿う断面図である。
【図３】図３は基板ボードを示し、（Ａ）は斜視図、（Ｂ）は（Ａ）のＢ−Ｂ線に沿う断面図である。
【図４】図４は連結ベルトと引張ベルトを示す斜視図である。
【図５】図５はカバー持上具の取付状態を示し、（Ａ）は引張前状態を示す斜視図、（Ｂ）は引張後状態を示す斜視図である。
【図６】図６は変形ボードの変形状態を示し、（Ａ）は小変形状態を示す正面図、（Ｂ）は大変形状態を示す正面図である。
【符号の説明】
１  建物ユニット
１１  カバー持上具
２０  持上部材
２０Ａ  変形部
２１  基板ボード
２２  変形ボード
２３  連結ボルト（連結部材）
２４  引張ベルト（引張部材）
３１、４１  プラスチックボード
３４  挿通部
４４  挿通部
４５  帯状弾性体
１０１、１０２  防水カバー
【図１】
0004187179.tif 000002
【図２】
0004187179.tif 000003
【図３】
0004187179.tif 000004
【図４】
0004187179.tif 000005
【図５】
0004187179.tif 000006
【図６】
0004187179.tif 000007